(57)【要約】      （修正有）【課題】フックとして使用しない場合にはフック状構造を備えない底足の形状にでき、底足としての耐久性を保持するとともに、底足を接地させた際に不用意に物が引っ掛からず、見映えも良いスーツケースの底足、及び該底足を備えたスーツケースを提供する。【解決手段】スーツケースの底足１は、片側端部に溝部を設けた略直方体形状の本体上部１０ａと本体下部１０ｂとからなる本体と、溝部に対応する断面形状を有し、溝部に挿入して着脱可能に嵌合する嵌込体２０とからなり、溝部は本体の背面側端の一部に制止壁を備え、嵌込体はその表面に溝部方向に沿って先端側が制止壁の厚み分だけ短い畝部を設けてなり、嵌込体を溝部に嵌合させて畝部の先端が制止壁に当接した際に、本体の表面と嵌込体の露出面が面一となるように合体する。【選択図】図２
0003227965.tif 000002
【実用新案登録請求の範囲】
【請求項１】
底部に設けたキャスターにより移動可能なスーツケース等の側部に設けられる底足であって、前記底足は片側端部に溝部を設けた略直方体形状の本体と、前記溝部に対応する断面形状を有し、前記溝部に挿入して着脱可能に嵌合する嵌込体とからなり、前記嵌込体を前記本体より分離した際には、前記溝部が袋体の持ち手をひっかけて保持可能なフックとして機能することを特徴とするスーツケース等の底足。
【請求項２】
前記溝部は前記本体の背面側端の一部に制止壁を備え、前記嵌込体はその表面に前記溝部方向に沿って先端側が前記制止壁の厚み分だけ短い畝部を設けてなり、前記嵌込体を前記溝部に嵌合させて前記畝部の先端が前記制止壁に当接した際に、前記本体の表面と前記嵌込体の露出面が面一となるように合体することを特徴とする、請求項１に記載のスーツケースの底足。
【請求項３】
前記溝部の内面の一部には凸部を、前記嵌込体の外面の一部には前記凸部に対応する形状の凹部を設けてなり、前記畝部の先端が前記制止壁に当接した際に前記凹部に前記凸部が嵌合し、前記嵌合体を先端側から押圧して前記凹部と前記凸部の嵌合を解除することにより、前記嵌合体が前記本体から離脱可能としたことを特徴とする、請求項２に記載のスーツケースの底足。
【請求項４】
請求項１から請求項３のいずれかに記載のスーツケースの底足を備えたことを特徴とするスーツケース。
【考案の詳細な説明】
【技術分野】
【０００１】
本考案は、旅行用スーツケースに代表される、底部に設けたキャスターにより移動可能な硬質の外殻を有する比較的大型の荷物収納具の側部に取り付け可能な底足に関し、また、該底足を備えたスーツケースに関する。
【背景技術】
【０００２】
一般的なスーツケースは、図１に示すように、底部の四隅にキャスターを、上部に上部把手及び引出し式の牽引用ハンドルを、一方の側面の中央に側部把手を、他方の側面の四隅には樹脂製の底足を備えている。移動の際には４つのキャスターを接地させてスーツケースを立てた状態で押すか、牽引用ハンドルを引き出してスーツケースを傾け、片側一対のみのキャスターを接地させた状態で牽引する。一方、移動しない場合は、スーツケースを側方に倒して前記他方の側面を底にし、４つの底足を接地させることで安定した状態とする。
【０００３】
旅行者は、空港や駅においてスーツケースを主にキャスターを接地させた状態で運ぶが、衣類や土産物を収納したスーツケースを移動中に開閉することは少ない。一方、旅行者はスーツケース以外にも鞄やハンドバック等の手荷物を携行することが多く、移動中に売店やコンビニエンスストア等で購入した弁当や飲み物、雑誌等を入れたビニール袋が手荷物に加わる局面も多い。その場合、旅行者は両手が塞がることになり、搭乗口や改札口等でチケットを出し入れする際や、携帯電話を使用する際には不便である。
【０００４】
こうした不便を軽減するべく、近年では外装部分に小荷物を収納するためのポケットを設けたり、外装部分の一部に別途に開閉可能な収納部を設けたスーツケースが普及し始めている。ただ、スーツケースが備える外装ポケットや収納部の収容空間は限られており、弁当や飲み物を入れたビニール袋等は嵩張るだけでなく、傾けると内容物が崩れたり液体がこぼれたりするおそれがあるため、こうした空間に収納することは現実的ではない。
【０００５】
これに対して、たとえば特許文献１には、前記底足にフック状の構造を設け、ビニール袋等の持ち手をここに引っ掛けて吊るし、そのまま移動させることができるスーツケースが提案されている。
【特許文献１】実用新案登録第３１８１８３８号登録実用新案公報
【考案の概要】
【考案が解決しようとする課題】
【０００６】
しかし、かかるフック状の構造を設けた底足はフック部分の耐久性が低下せざるを得ず、硬い路面や床面に接地させる際の衝撃やスーツケース自体の重量により破損するおそれがある。また、フック状であるためにスーツケースを移動させる際にカーペットの縁部や床の路面の段差、あるいは電気コード等の異物を不用意に引っ掛かけて、転倒事故につながるおそれもある。さらに、スーツケースを立てた状態においてはフック状の構造が露出したままであり、見映えが良いものではない。
【０００７】
本考案は、かかる先行技術の問題点を解消するべく創案されたものであり、底足にフック状の構造を設けた上で、フックとして使用しない場合にはフック状構造を備えない従来通りの底足の形状にできるようにし、底足としての耐久性を保持するとともに、底足を接地させた際に不用意に物が引っ掛からず、見映えも良い底足、及び該底足を備えたスーツケースを提供することを課題とする。
【課題を解決するための手段】
【０００８】
上述した課題を解決するために、請求項１に記載のスーツケース等の底足にあっては、片側端部に溝部を設けた略直方体形状の本体と、前記溝部に対応する断面形状を有し、前記溝部に挿入して着脱可能に嵌合する嵌込体とからなり、前記嵌込体を前記本体より分離した際には、前記溝部が袋体の持ち手をひっかけて保持可能なフックとして機能することを特徴とする。
【０００９】
また、請求項２に記載のスーツケース等の底足にあっては、前記溝部は前記本体の背面側端の一部に制止壁を備え、前記嵌込体はその表面に前記溝部方向に沿って先端側が前記制止壁の厚み分だけ短い畝部を設けてなり、前記嵌込体を前記溝部に嵌合させて前記畝部の先端が前記制止壁に当接した際に、前記本体の表面と前記嵌込体の露出面が面一となるように合体することを特徴とする。
【００１０】
また、請求項３に記載のスーツケース等の底足にあっては、さらに、前記溝部の内面の一部には凸部を、前記嵌込体の外面の一部には前記凸部に対応する形状の凹部を設けてなり、前記畝部の先端が前記制止壁に当接した際に前記凹部に前記凸部が嵌合し、前記嵌合体を先端側から押圧して前記凹部と前記凸部の嵌合を解除することにより、前記嵌合体が前記本体から離脱可能としたことを特徴とする。
【００１１】
また、請求項４に記載のスーツケースは、請求項１から請求項３のいずれかに記載の底足を備えたことを特徴とする。
【考案の効果】
【００１２】
請求項１に記載のスーツケースの底足は、フックとして使用する場合には、本体から嵌込体を分離することで溝部が露出してフック状の構造となり、フックとして使用しない場合には、本体の溝部に嵌込体を嵌合させることで従来の底足と同様の構造となり、耐久性が損なわれず、不用意に物を引掛けるおそれもなくなる。また、外観上の見映えも損なわれない。
【００１３】
請求項２に記載のスーツケースの底足は、本体の溝部に一方から嵌合させた嵌込体が制止壁によって畝部が制止されて固定されるため、他方側に突出することがなく、スーツケースの移動時の衝撃や振動により嵌込体が不用意に脱落することが防がれる。
【００１４】
請求項３に記載のスーツケースの底足は、本体に嵌込体を挿入させ、畝部が制止壁に当接した時点で溝部の内面の凸部が嵌込体の外面の凹部に嵌合するため、本体と嵌込体との固定が請求項１や請求項２に記載の底足よりもさらに確実となり、本体の他方側から嵌込体の先端を指先で押圧しない限り、容易に本体から嵌込体が脱落することがない。
【考案を実施するための形態】
【００１５】
（第一実施形態）
以下、本考案の実施形態について図を用いて説明する。図２、図３は本考案の第一実施形態に係るスーツケース等の底足１の斜視図であり、図４は本体上部１０ａに嵌合した嵌込体２０を分離させた状態を示す斜視図である。また、図５は底足１の正面図、図６は背面図、図７は左側面図、図８は右側面図、図９は底面図である。
【００１６】
底足１は全体として跳び箱様の樹脂製の直方体であり、本体１０の右側に溝部１１が設けられており、この溝部１１に嵌込体２０が嵌合した状態でその側面は面一となる形で底足１として一体化する。底足１は、スーツケース等をキャスターで接地させた状態において、この溝部１１が上向きとなる方向にスーツケースの側面に取り付けられ、必要に応じて嵌込体２０を分離して溝部１１を露出させ、フックとして使用する。
【００１７】
嵌込体２０も樹脂製であり、左側が半円柱状、右側が本体１０の右側面と面一となる傾斜面を有する断面を有し、上面には溝部１１方向に沿って畝部２１を設けている。溝部１１は、かかる嵌込体２０の断面形状に対応する断面を有するが、背面側の開口部は畝部２１の断面部分が制止壁１２により封鎖されている。畝部２１は背面側が前記制止壁１２の厚み分だけ短く構成しているため、嵌込体２０を本体１０の正面側開口部から挿入すると、畝部２１の背面側が制止壁１２に当接して挿入が制止されて嵌合が完了し、その時点で本体１０と嵌込体２０は外側面が面一となる形で底足１として完全に一体化する。かかる構成により、嵌込体２０は本体１０に正面側からのみ分離可能となり、背面側に通り抜けて脱落することはない。
【００１８】
また、図３に示すように、本体１０は本体上部１０ａと本体下部１０ｂとからなり、本体下部１０ｂは跳び箱の最下段に類似した枠状構造としている。本体下部１０ｂを予めスーツケース等の側面の四隅の所定位置に接着等の方法で取り付けておき、本体上部１０ａを本体下部１０ｂに嵌め込んで合体させる。図９に示すように、本体上部１０ａの底面にはねじ孔１３を２つ設けてあり、スーツケースの側面殻に穿った貫通孔を通して内側から本体上部１０ａをねじ止め可能としている。なお、本実施形態のように本体１０を本体上部１０ａと本体下部１０ｂのツーピース構造とはせず、本体１０のみの一体構造としてもよい。
【００１９】
（第二実施形態）
図１０は本考案の第二実施形態に係るスーツケース等の底足２の斜視図である。第一実施形態に係る底足１との相違点は、本体１０の溝部１１内にごく小さな凸部１４を設け、嵌込体２０の下面に該凸部１４に対応する形状の凹部１５を設けている点であり、残余の構成は共通である。凸部１４と凹部１５は、嵌込体２０が本体１０に嵌合して完全に一体化した際に凸部１４が凹部１５に嵌合するような位置に設けられる。
【００２０】
嵌込体２０を溝部１１に正面から挿入すると、嵌込体２０の背面側断面が凸部１４に当接するが、凸部１４はごく小さな突起であるため、樹脂製である本体１０の弾力により溝部１１が僅かに押し拡げられて嵌込体２０は凸部１４を乗り越えて挿入される。そして、畝部２１の背面側が嵌込体２０の制止壁１５に当接して嵌込体２０が本体１０に嵌合して完全に一体化すると同時に凸部１４が凹部１５に嵌合する。これにより、本体１０と嵌込体２０の合体はより強固となり、嵌込体２０を背面側から指先で押圧しない限り、たとえ外部からの振動や衝撃を受けても嵌込体２０が本体１０から脱落することがなくなる。
【００２１】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。
【産業上の利用可能性】
【００２２】
本考案に係る底足は、スーツケースに代表される硬質の外殻を有する比較的大型の荷物収納具の側部に取り付けて使用可能である。
【図面の簡単な説明】
【００２３】
【図１】側面に底足を有する一般的なスーツケース
【図２】底足１の全体斜視図
【図３】本体１０を本体上部１０ａと本体下部１０ｂに分離した状態の斜視図
【図４】本体上部１０ａから嵌込体２０を分離した状態の斜視図
【図５】本体１０の正面図
【図６】本体１０の背面図
【図７】本体１０の左側面図
【図８】本体１０の右側面図
【図９】本体１０の底面図
【図１０】底足２の本体上部１０ａから嵌込体２０を分離した状態の斜視図
【符号の説明】
【００２４】
１      底足
１０    本体
１０ａ  本体上部
１０ｂ  本体下部
１１    溝部
１２    制止壁
１３    ねじ孔
１４    凸部（第二実施形態）
１５    凹部（第二実施形態）
２０    嵌込体
２１    畝部       
【図１】
0003227965.tif 000003
【図２】
0003227965.tif 000004
【図３】
0003227965.tif 000005
【図４】
0003227965.tif 000006
【図５】
0003227965.tif 000007
【図６】
0003227965.tif 000008
【図７】
0003227965.tif 000009
【図８】
0003227965.tif 000010
【図９】
0003227965.tif 000011
【図１０】
0003227965.tif 000012
【手続補正書】
【提出日】令和2年6月24日(2020.6.24)
【手続補正１】
【補正対象書類名】実用新案登録請求の範囲
【補正対象項目名】請求項１
【補正方法】変更
【補正の内容】
【請求項１】
底部に設けたキャスターにより移動可能なスーツケースの側部に設けられる底足であって、前記底足は片側端部に溝部を設けた略直方体形状の本体と、前記溝部に対応する断面形状を有し、前記溝部に挿入して着脱可能に嵌合する嵌込体とからなり、前記嵌込体を前記本体より分離した際には、前記溝部が袋体の持ち手をひっかけて保持可能なフックとして機能することを特徴とするスーツケースの底足。
【手続補正２】
【補正対象書類名】明細書
【補正対象項目名】全文
【補正方法】変更
【補正の内容】
【考案の詳細な説明】
【技術分野】
【０００１】
本考案は、旅行用スーツケースに代表される、底部に設けたキャスターにより移動可能な硬質の外殻を有する比較的大型の荷物収納具の側部に取り付け可能な底足に関し、また、該底足を備えたスーツケースに関する。
【背景技術】
【０００２】
一般的なスーツケースは、図１に示すように、底部の四隅にキャスターを、上部に上部把手及び引出し式の牽引用ハンドルを、一方の側面の中央に側部把手を、他方の側面の四隅には樹脂製の底足を備えている。移動の際には４つのキャスターを接地させてスーツケースを立てた状態で押すか、牽引用ハンドルを引き出してスーツケースを傾け、片側一対のみのキャスターを接地させた状態で牽引する。一方、移動しない場合は、スーツケースを側方に倒して前記他方の側面を底にし、４つの底足を接地させることで安定した状態とする。
【０００３】
旅行者は、空港や駅においてスーツケースを主にキャスターを接地させた状態で運ぶが、衣類や土産物を収納したスーツケースを移動中に開閉することは少ない。一方、旅行者はスーツケース以外にも鞄やハンドバック等の手荷物を携行することが多く、移動中に売店やコンビニエンスストア等で購入した弁当や飲み物、雑誌等を入れたビニール袋が手荷物に加わる局面も多い。その場合、旅行者は両手が塞がることになり、搭乗口や改札口等でチケットを出し入れする際や、携帯電話を使用する際には不便である。
【０００４】
こうした不便を軽減するべく、近年では外装部分に小荷物を収納するためのポケットを設けたり、外装部分の一部に別途に開閉可能な収納部を設けたスーツケースが普及し始めている。ただ、スーツケースが備える外装ポケットや収納部の収容空間は限られており、弁当や飲み物を入れたビニール袋等は嵩張るだけでなく、傾けると内容物が崩れたり液体がこぼれたりするおそれがあるため、こうした空間に収納することは現実的ではない。
【０００５】
これに対して、たとえば特許文献１には、前記底足にフック状の構造を設け、ビニール袋等の持ち手をここに引っ掛けて吊るし、そのまま移動させることができるスーツケースが提案されている。
【特許文献１】実用新案登録第３１８１８３８号登録実用新案公報
【考案の概要】
【考案が解決しようとする課題】
【０００６】
しかし、かかるフック状の構造を設けた底足はフック部分の耐久性が低下せざるを得ず、硬い路面や床面に接地させる際の衝撃やスーツケース自体の重量により破損するおそれがある。また、フック状であるためにスーツケースを移動させる際にカーペットの縁部や床の路面の段差、あるいは電気コード等の異物を不用意に引っ掛かけて、転倒事故につながるおそれもある。さらに、スーツケースを立てた状態においてはフック状の構造が露出したままであり、見映えが良いものではない。
【０００７】
本考案は、かかる先行技術の問題点を解消するべく創案されたものであり、底足にフック状の構造を設けた上で、フックとして使用しない場合にはフック状構造を備えない従来通りの底足の形状にできるようにし、底足としての耐久性を保持するとともに、底足を接地させた際に不用意に物が引っ掛からず、見映えも良い底足、及び該底足を備えたスーツケースを提供することを課題とする。
【課題を解決するための手段】
【０００８】
上述した課題を解決するために、請求項１に記載のスーツケースの底足にあっては、片側端部に溝部を設けた略直方体形状の本体と、前記溝部に対応する断面形状を有し、前記溝部に挿入して着脱可能に嵌合する嵌込体とからなり、前記嵌込体を前記本体より分離した際には、前記溝部が袋体の持ち手をひっかけて保持可能なフックとして機能することを特徴とする。
【０００９】
また、請求項２に記載のスーツケースの底足にあっては、前記溝部は前記本体の背面側端の一部に制止壁を備え、前記嵌込体はその表面に前記溝部方向に沿って先端側が前記制止壁の厚み分だけ短い畝部を設けてなり、前記嵌込体を前記溝部に嵌合させて前記畝部の先端が前記制止壁に当接した際に、前記本体の表面と前記嵌込体の露出面が面一となるように合体することを特徴とする。
【００１０】
また、請求項３に記載のスーツケースの底足にあっては、さらに、前記溝部の内面の一部には凸部を、前記嵌込体の外面の一部には前記凸部に対応する形状の凹部を設けてなり、前記畝部の先端が前記制止壁に当接した際に前記凹部に前記凸部が嵌合し、前記嵌合体を先端側から押圧して前記凹部と前記凸部の嵌合を解除することにより、前記嵌合体が前記本体から離脱可能としたことを特徴とする。
【００１１】
また、請求項４に記載のスーツケースは、請求項１から請求項３のいずれかに記載の底足を備えたことを特徴とする。
【考案の効果】
【００１２】
請求項１に記載のスーツケースの底足は、フックとして使用する場合には、本体から嵌込体を分離することで溝部が露出してフック状の構造となり、フックとして使用しない場合には、本体の溝部に嵌込体を嵌合させることで従来の底足と同様の構造となり、耐久性が損なわれず、不用意に物を引掛けるおそれもなくなる。また、外観上の見映えも損なわれない。
【００１３】
請求項２に記載のスーツケースの底足は、本体の溝部に一方から嵌合させた嵌込体が制止壁によって畝部が制止されて固定されるため、他方側に突出することがなく、スーツケースの移動時の衝撃や振動により嵌込体が不用意に脱落することが防がれる。
【００１４】
請求項３に記載のスーツケースの底足は、本体に嵌込体を挿入させ、畝部が制止壁に当接した時点で溝部の内面の凸部が嵌込体の外面の凹部に嵌合するため、本体と嵌込体との固定が請求項１や請求項２に記載の底足よりもさらに確実となり、本体の他方側から嵌込体の先端を指先で押圧しない限り、容易に本体から嵌込体が脱落することがない。
【考案を実施するための形態】
【００１５】
（第一実施形態）
以下、本考案の実施形態について図を用いて説明する。図２、図３は本考案の第一実施形態に係るスーツケースの底足１の斜視図であり、図４は本体上部１０ａに嵌合した嵌込体２０を分離させた状態を示す斜視図である。また、図５は底足１の正面図、図６は背面図、図７は左側面図、図８は右側面図、図９は底面図である。
【００１６】
底足１は全体として跳び箱様の樹脂製の直方体であり、本体１０の右側に溝部１１が設けられており、この溝部１１に嵌込体２０が嵌合した状態でその側面は面一となる形で底足１として一体化する。底足１は、スーツケースをキャスターで接地させた状態において、この溝部１１が上向きとなる方向にスーツケースの側面に取り付けられ、必要に応じて嵌込体２０を分離して溝部１１を露出させ、フックとして使用する。
【００１７】
嵌込体２０も樹脂製であり、左側が半円柱状、右側が本体１０の右側面と面一となる傾斜面を有する断面を有し、上面には溝部１１方向に沿って畝部２１を設けている。溝部１１は、かかる嵌込体２０の断面形状に対応する断面を有するが、背面側の開口部は畝部２１の断面部分が制止壁１２により封鎖されている。畝部２１は背面側が前記制止壁１２の厚み分だけ短く構成しているため、嵌込体２０を本体１０の正面側開口部から挿入すると、畝部２１の背面側が制止壁１２に当接して挿入が制止されて嵌合が完了し、その時点で本体１０と嵌込体２０は外側面が面一となる形で底足１として完全に一体化する。かかる構成により、嵌込体２０は本体１０に正面側からのみ分離可能となり、背面側に通り抜けて脱落することはない。
【００１８】
また、図３に示すように、本体１０は本体上部１０ａと本体下部１０ｂとからなり、本体下部１０ｂは跳び箱の最下段に類似した枠状構造としている。本体下部１０ｂを予めスーツケースの側面の四隅の所定位置に接着等の方法で取り付けておき、本体上部１０ａを本体下部１０ｂに嵌め込んで合体させる。図９に示すように、本体上部１０ａの底面にはねじ孔１３を２つ設けてあり、スーツケースの側面殻に穿った貫通孔を通して内側から本体上部１０ａをねじ止め可能としている。なお、本実施形態のように本体１０を本体上部１０ａと本体下部１０ｂのツーピース構造とはせず、本体１０のみの一体構造としてもよい。
【００１９】
（第二実施形態）
図１０は本考案の第二実施形態に係るスーツケースの底足２の斜視図である。第一実施形態に係る底足１との相違点は、本体１０の溝部１１内にごく小さな凸部１４を設け、嵌込体２０の下面に該凸部１４に対応する形状の凹部１５を設けている点であり、残余の構成は共通である。凸部１４と凹部１５は、嵌込体２０が本体１０に嵌合して完全に一体化した際に凸部１４が凹部１５に嵌合するような位置に設けられる。
【００２０】
嵌込体２０を溝部１１に正面から挿入すると、嵌込体２０の背面側断面が凸部１４に当接するが、凸部１４はごく小さな突起であるため、樹脂製である本体１０の弾力により溝部１１が僅かに押し拡げられて嵌込体２０は凸部１４を乗り越えて挿入される。そして、畝部２１の背面側が嵌込体２０の制止壁１５に当接して嵌込体２０が本体１０に嵌合して完全に一体化すると同時に凸部１４が凹部１５に嵌合する。これにより、本体１０と嵌込体２０の合体はより強固となり、嵌込体２０を背面側から指先で押圧しない限り、たとえ外部からの振動や衝撃を受けても嵌込体２０が本体１０から脱落することがなくなる。
【００２１】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。
【産業上の利用可能性】
【００２２】
本考案に係る底足は、スーツケースに代表される硬質の外殻を有する比較的大型の荷物収納具の側部に取り付けて使用可能である。
【図面の簡単な説明】
【００２３】
【図１】側面に底足を有する一般的なスーツケース
【図２】底足１の全体斜視図
【図３】本体１０を本体上部１０ａと本体下部１０ｂに分離した状態の斜視図
【図４】本体上部１０ａから嵌込体２０を分離した状態の斜視図
【図５】本体１０の正面図
【図６】本体１０の背面図
【図７】本体１０の左側面図
【図８】本体１０の右側面図
【図９】本体１０の底面図
【図１０】底足２の本体上部１０ａから嵌込体２０を分離した状態の斜視図
【符号の説明】
【００２４】
１      底足
１０    本体
１０ａ  本体上部
１０ｂ  本体下部
１１    溝部
１２    制止壁
１３    ねじ孔
１４    凸部（第二実施形態）
１５    凹部（第二実施形態）
２０    嵌込体
２１    畝部